(57)【要約】【課題】フィンシャット構造のレジスタにおいて、コストの増大なくフィンシャット時のフィンの過度の変形を防止する。【解決手段】水平フィン２の揺動軌跡に対応する部分に形成された凹部41と、フィンの揺動軌跡が存在しない空隙部に形成され、フィンシャット時に水平フィン２の裏面に近接して対向する凸部40をもつ補強部材４を設けた。フィンシャット時に水平フィン２を表面から押圧しても、裏面が凸部40に当接するため、水平フィン２の過度の変形を防止できる。また凹部41の存在により、水平フィン２の揺動時に補強部材４と干渉することもない。【選択図】  図１
2004203176.tif 000002
【特許請求の範囲】
【請求項１】
吹き出し開口と空気流路を形成する筒状のリテーナと、該リテーナ内に揺動可能に配置され互いに平行な状態を維持しながら揺動する複数のフィンと、該フィンを揺動させ該リテーナに対する角度を可変することで送風方向を可変する可変手段と、を具備し、複数の該フィンは所定位置まで揺動したときにそれぞれの表面が略同一平面上となって該吹き出し開口を閉じるように構成された空調用レジスタであって、
該フィンの後方の該リテーナ内には、複数の該フィンの揺動軌跡に対応する部分に形成された凹部と、該フィンの揺動軌跡が存在しない空隙部に形成され複数の該フィンの表面が略同一平面上となった時に少なくとも一つの該フィンの裏面に近接して対向する凸部と、をもつ補強部材を有し、少なくとも一つの該フィンを表面から押圧した時に該凸部が該フィンの裏面に当接するように構成されたことを特徴とする空調用レジスタ。
【請求項２】
前記フィンは前記吹き出し開口を開閉可能な前フィンと該前フィンの後方に配置された後フィンとよりなり、前記補強部材は該前フィンと該後フィンの間に設けられている請求項１に記載の空調用レジスタ。
【発明の詳細な説明】
【０００１】
【発明の属する技術分野】
本発明は自動車室内などに設けられ、温風又は冷風を吹き出す開口部を構成する空調用レジスタの構造の改良に関する。
【０００２】
【従来の技術】
自動車のインストルメントパネルなどには、空調装置からの温冷風を吹き出す開口部としてのレジスタが設けられている。このレジスタは、空気流路及び吹き出し開口を形成する筒状のリテーナと、リテーナ内に揺動自在に配置された互いに平行な複数の水平フィン及び垂直フィンと、ノブなど水平フィン又は垂直フィンを揺動させてリテーナに対する角度を可変することで送風方向を可変する可変手段とからなり、一般に手動により可変手段を駆動して水平フィン又は垂直フィンの角度を調節することで送風方向を調節可能とされている。
【０００３】
例えば水平フィンは、一端がそれぞれ側板に枢支され、他端が連結ロッドに枢支されて互いに平行とされている。そして、側板がリテーナに固定されるとともに連結ロッドがリンク機構に連結され、リンク機構が連結ロッドを駆動することで全ての水平フィンが同期して揺動するように構成されている。
【０００４】
ところで自動車のレジスタは、車室内を素早く空調すること、各座席の乗員に均等に風を送って快適性を向上させること、などを目的として、車室内に一般に複数個配置されている。しかし乗員数が少ない場合や、快適性の個人差などに応じて、各レジスタからの送風・停止を個別に制御する必要が生じる場合が多い。
【０００５】
そこで従来のレジスタでは、リテーナ内にエアダンパが設けられ、乗員が手動によりエアダンパを駆動することでリテーナ内の空気流路を開閉可能とされている。
【０００６】
このエアダンパは、例えば周縁部にリング状のシール材をもつ板状のダンパ本体がリテーナ内に回動自在に枢支されて構成されている。そして乗員が操作ノブを操作することで、リンク機構によりダンパ本体がリテーナ内を開閉し、送風・停止を切り換えることが可能となっている。ところが、このエアダンパは、ダンパ本体、シール材、操作ノブ、リンク機構など部品点数が多く、また組付工数も多大となるために、レジスタのコストアップの要因となっている。
【０００７】
そこで特開平11−180140号公報あるいは特開平11−198646号公報などには、複数のフィンを揺動させてその表面を略同一平面上とすることで、リテーナの開口を閉じるフィンシャット構造のレジスタが開示されている。このようなフィンシャット構造とすることで、操作ノブの数を減らすことができ、またエアダンパも不要となるので、コストを大きく低減することができる。またフィンシャットによって停止状態を視認でき、その状態での意匠性にも優れている。
【０００８】
【特許文献１】特開平11−180140号
【特許文献２】特開平11−198646号
【０００９】
【発明が解決しようとする課題】
ところが自動車の空調用レジスタなどに用いられるフィンは、樹脂製であり通気抵抗を低減するために厚さも比較的薄いものとなっている。そのためフィン自体の強度が低く、フィンシャット状態にあるフィンを押圧すると、フィンが撓み変形し、過度の力が加わるとフィンが曲がってしまう場合がある。またフィンが容易に変形するようでは、高級感に不足するという不具合もある。
【００１０】
そこでフィンの強度を高めることが考えられるが、そのためには繊維強化樹脂あるいは金属を用いることとなり、コストが大幅に上昇するという問題がある。
【００１１】
本発明はこのような事情に鑑みてなされたものであり、フィンシャット構造のレジスタにおいて、コストの増大なくフィンシャット時のフィンの過度の変形を防止することを目的とする。
【００１２】
【課題を解決するための手段】
上記課題を解決する本発明の空調用レジスタの特徴は、吹き出し開口と空気流路を形成する筒状のリテーナと、リテーナ内に揺動可能に配置され互いに平行な状態を維持しながら揺動する複数のフィンと、フィンを揺動させリテーナに対する角度を可変することで送風方向を可変する可変手段と、を具備し、複数のフィンは所定位置まで揺動したときにそれぞれの表面が略同一平面上となって吹き出し開口を閉じるように構成された空調用レジスタであって、
フィンの後方のリテーナ内には、複数のフィンの揺動軌跡に対応する部分に形成された凹部と、フィンの揺動軌跡が存在しない空隙部に形成され複数のフィンの表面が略同一平面上となった時に少なくとも一つのフィンの裏面に近接して対向する凸部と、をもつ補強部材を有し、少なくとも一つのフィンを表面から押圧した時に凸部がフィンの裏面に当接するように構成されたことにある。
【００１３】
フィンは吹き出し開口を開閉可能な前フィンと前フィンの後方に配置された後フィンとよりなり、補強部材は前フィンと後フィンの間に設けられていることが望ましい。
【００１４】
【発明の実施の形態】
本願発明者は、フィンシャット構造のレジスタにおけるフィンの揺動状況を綿密に検討した結果、各フィンが全オープン時と全シャット時の間を揺動する軌跡どうしが干渉しない空隙部が存在することを見出した。そして、この空隙部を有効利用することを想起し、本願発明を完成したものである。
【００１５】
すなわち本発明のレジスタは、複数のフィンの表面が略同一平面上となった時に少なくとも一つのフィンの裏面に近接して対向する凸部と、フィンの揺動軌跡に対応する凹部とをもつ補強部材を有している。そしてフィンシャット時にフィンを表面から押圧すると、補強部材の凸部がフィンの裏面に当接して支持する。これによりフィンの変形を防止することができる。
【００１６】
またフィンの揺動時には、フィンは補強部材の凹部内を揺動するので、フィンと補強部材との干渉も生じない。
【００１７】
したがってフィンの材質は従来と同様の樹脂とすることができ、フィンの形状も従来と同様にできるので、フィンのコストが上昇することがない。また補強部材は、リテーナと一体成形することができ、安価な樹脂から形成することができるので、補強部材によるコストの上昇もほとんど生じない。
【００１８】
フィンは、吹き出し開口を開閉可能な前フィンと、前フィンの後方に配置された後フィンとよりなり、補強部材は前フィンと後フィンの間に設けられている構成とすることも好ましい。このようにすれば、前フィンと後フィンとの間の隙間を有効に利用することができ、レジスタ全体の形状が大型化するのを防止することができる。
【００１９】
前フィン及び後フィンの数には特に制限がない。また前フィン及び後フィンの風向調節方向は、互いに略90゜で交差すればよい。
【００２０】
前フィンは、その表面が吹き出し開口の面と面一になった時に全シャット状態となり、その表面が空気流の吹き出し方向と平行となった時に全オープン状態となる。そして前フィンの揺動軌跡は、全オープン状態と全オープン状態との間で描かれる。
【００２１】
前フィンの揺動中心は、前フィン自体にあってもよいが、前フィン自体から離間して偏心していることが望ましい。このようにすれば、複数の前フィンの揺動軌跡が干渉しない空隙部の大きさがより大きくなるため、補強部材の形状及び配置の自由度が向上する。
【００２２】
補強部材は、複数のフィンの揺動軌跡に対応する部分に形成された凹部と、フィンの揺動軌跡が存在しない空隙部に形成され複数のフィンの表面が略同一平面上となった時に少なくとも一つのフィンの裏面に近接して対向する凸部と、を有する。したがって複数のフィンの表面が略同一平面上となったフィンシャット時には、凸部が少なくとも一つのフィンの裏面に近接して対向しているので、そのフィンを表面から押圧してもフィンが凸部に当接することで変形が規制され、フィンの過度の変形を防止することができる。また凹部の存在により、複数のフィンの揺動時に補強部材と干渉することもない。
【００２３】
凸部は、フィンシャット状態を取り得る少なくとも一つのフィンに対向していればよいが、できるだけ多くのフィンに対向できるように、補強部材は複数の凸部を有することが望ましい。
【００２４】
また補強部材の数にも特に制限がないが、フィンが最も撓みやすい位置であるフィンの長手方向の中央位置に少なくとも設けることが望ましい。なお補強部材は空気流の抵抗となるので、補強部材の数は少ないほど好ましく、その形状も空気流の方向と平行な表裏面をもつ板状とするのが好ましい。
【００２５】
補強部材は、リテーナと別体に形成したものをリテーナ内に溶着などで固定してもよいが、リテーナと一体成形すれば製造工数の増大を防止することができる。
【００２６】
【実施例】
以下、実施例により本発明を具体的に説明する。本実施例は自動車のインストルメントパネルに設けられる空調用レジスタに本発明を適用したものである。
【００２７】
（実施例１）
図１〜４に本実施例の空調用レジスタを示す。この空調用レジスタは、車体に固定される筒状のリテーナ１と、リテーナ１の吹き出し開口10近傍に揺動可能に保持された複数の水平フィン２と、水平フィン２より後方でリテーナ１内に揺動可能に保持された複数の垂直フィン３と、水平フィン２と垂直フィン３の間にリブ状に立設された補強部材４と、から構成されている。
【００２８】
複数の水平フィン２は、図２に示すように、互いに平行に配置された長尺板状の本体20と、本体20の両端に固定されて突出する脚部21とから構成されている。それぞれの脚部21の下端からは第１軸部22が外方へ突出し、第１軸部22がリテーナ１の左右側壁にそれぞれ枢支されている。またそれぞれの本体20の両端からは第２軸部23が外方へ突出し、それぞれの第２軸部23は連結ロッド24に枢支されている。そして最下端の水平フィン２の第１軸部22は、リテーナ１の正面左側に回動自在に枢支された垂直ノブ11の回動軸に固定されている。
【００２９】
したがって垂直ノブ11を回動させると、最下端の水平フィン２が第１軸部22を中心にして回動し、同時に連結ロッド24が回動することで、全ての水平フィン２が同期して揺動するため、吹き出し開口10から吹き出す空気流の方向を上下方向に自在に調節することができる。本体20の先端の揺動軌跡は、図３に破線で示すように、第１軸部22を中心とした円弧状となる。
【００３０】
複数の垂直フィン３は、互いに平行に配置された長尺板状の本体30からなり、本体30の両端からは第１軸部31が突出してリテーナ１の上下壁にそれぞれ枢支されている。下方に突出する第１軸部31は、リテーナ１の下壁を貫通し、リテーナ１の下側でそれぞれ腕部32の一端に固定されている。複数の腕部32の他端は連結ロッド33に枢支され、連結ロッド33にはリテーナ１の正面下側に回動自在に枢支された水平ノブ12が係合している。
【００３１】
したがって水平ノブ12を回動させると、連結ロッド33が左右方向に移動し、それに伴って全ての垂直フィン３が同期して左右方向に揺動する。これにより、吹き出し開口10から吹き出す空気流の方向を左右方向に自在に調節することができる。
【００３２】
補強部材４は、リテーナ１と同一樹脂からリテーナ１と一体的に形成され、リテーナ１の上下壁を連結しリテーナ１の左右側壁と平行に延びる表裏面をもつ板状をなしている。この補強部材４は、吹き出し開口10側に向かって突出する複数の凸部40と、凸部40の間に形成された複数の凹部41を有している。複数の凹部41は、それぞれ水平フィン２の揺動軌跡に対応して設けられ、複数の凸部40は水平フィン２の揺動軌跡が存在しない空隙部に位置している。したがって水平フィン２が揺動しても、凹部41内を移動するため補強部材４と干渉することがない。
【００３３】
そして複数の凸部40は、水平フィン２の本体20の表面が吹き出し開口10の面と面一になったフィンシャット状態（図１，図４）において、その先端面が本体20の長手方向の略中央部における裏面近傍となるように構成されている。したがって本体20の表面に押圧力が作用して本体20が撓もうとしても、裏面が凸部40に当接することで変形が規制され、過度の変形が防止されている。
【００３４】
【発明の効果】
すなわち本発明の空調用レジスタによれば、コストの増大なくフィンシャット時のフィンの過度の変形を防止することができる。また干渉によってフィンの揺動が妨げられることもない。
【図面の簡単な説明】
【図１】本発明の一実施例のレジスタをフィンシャット状態で示す全体斜視図である。
【図２】本発明の一実施例のレジスタの水平フィンの可動機構を示す斜視図である。
【図３】本発明の一実施例のレジスタの断面図である。
【図４】本発明の一実施例のレジスタのフィンシャット状態の断面図である。
【符号の説明】
１：リテーナ          ２：水平フィン          ３：垂直フィン
４：補強部材          10：吹き出し開口        40：凸部
41：凹部
【図１】
2004203176.tif 000003
【図２】
2004203176.tif 000004
【図３】
2004203176.tif 000005
【図４】
2004203176.tif 000006